(57)【特許請求の範囲】
【請求項１】
前袖部と、
前記前袖部が斜め上方に伸びるように前記前袖部と連なる前身頃と、
後袖部と、
前記後袖部が斜め上方に伸びるように前記後袖部と連なる後身頃と、
前記前身頃と前記後身頃の側縁に縫着される側部と、
前記側部の上端に連なり、前記前袖部の下縁と前記後袖部の下縁に逢着される下袖部と、
上袖部と、
前記上袖部に連なる肩部と、
を備え、
前記下袖部は、
前記側部の上端に連なり前記前袖部の下縁に逢着される下袖前部と、
前記下袖前部とは別体として裁断され、前記側部の上端に連なり前記後袖部の下縁に逢着される下袖後部と
を有し、
前記下袖前部は、前記側部の長手方向に対し０度より大きく２０度以下の角度範囲の角度で前方側へ弧状に形成されており、
前記下袖後部は、前記側部の長手方向に対し２０度以上で４０度以下の角度範囲の角度で、前腋点と後腋点とを結ぶ線である腋点基準線の近傍で前方側へ屈曲して形成されており、
前記下袖前部と前記下袖後部とが互いに縫着される前において、前記下袖前部と前記下袖後部とは互いに交差している
ことを特徴とする衣服。
【請求項２】
前記下袖前部と前記下袖後部とが互いに縫着される前において、前記下袖後部の上側半分の部位は、前記下袖前部よりも前方側に位置する
ことを特徴とする請求項１に記載の衣服。
【請求項３】
前記前袖部、前記前身頃、前記後袖部、前記後身頃、前記前記下袖部、前記上袖部、及び前記肩部を互いに縫着して形成した衣服の袖を下方に垂らした場合に、形成される腋窩折線は、前記腋点基準線の中点である腋下中点を底点としＶ字状に拡開して形成される
ことを特徴とする請求項１に記載の衣服。
【請求項４】
前記側部は側部前部と側部後部とからなり、
前記下袖前部と前記側部前部とは一体的な単一ピースの下袖側部前部を構成し、前記下袖後部と前記側部後部は単一ピースの下袖側部後部を一体的に構成し、前記下袖側部前部と前記下袖側部後部とによって前記下袖部と前記側部とが形成されることを特徴とする請求項１に記載の衣服。
【請求項５】
前記側部は一体的な単一ピースを構成し、前記下袖前部と前記下袖後部とが前記側部に連続することを特徴とする請求項１に記載の衣服。
【発明の詳細な説明】
【技術分野】
【０００１】
本発明は、特に腕の前方挙上の運動機能に対する追従性に優れ、動体適応衣として好ましい衣服に関するものである。
【背景技術】
【０００２】
従来の衣服においては、付袖あるいはラグラン袖の如何に拘らず、その袖は人体の中心から肩先を通る横軸の延長線上に設けられる。このために、静止時においてはともかく、腕の挙上動作、なかでも前方挙上運動に対して追従性がなく、したがって身頃と袖との連設部分に引きつれが起り、身頃を引張り上げることになって腕の動作の障害となり、人体の機能を妨げるものであった。
【０００３】
また、後身頃の袖付け部分にゆるみをとっても、腕の前方挙上時に前身頃の袖付け部分に引きつりが起り、いずれにしても運動機能に対する理想的な追従機能を有するものではなかった。
【０００４】
特に動体適応衣における場合、上記運動機能に対する障害は致命的であり、また作業衣の場合であっても人体の疲労を早めるなどの欠陥をもたらすものであった。
【０００５】
これに対して、本願発明の発明者は、かかる衣服に関連した生体機能の研究により、衣服構造線に囲まれる人体の皮ふにある特性があり、この特性が衣服の構造に利用できることを明らかにした。
【０００６】
すなわち人体の皮ふには生理的なしわと、生活の中で繰り返えし行なわれる動作により形成される後発的なしわがあり、皮ふは後発的なしわのひだに対して直角な方向に伸展し、またしわのひだの方向には伸展しない。
【０００７】
そこで衣服の後身頃に対応する人体の皮ふについてしわの形成状態を調査してみると、図８に示すように、肩線１２１、後ネックホール１２２、後中心線１２３、ウエストライン１２４、脇線１２５およびアームホール１２６に囲まれた皮ふは、Ａ方向とＢ方向に伸展する。Ａ方向の伸展は、後身頃に相当する部分からアームホール１２６に向いて斜上方に延びる袖部の三角筋付着部ＳＳに至るものであり、Ｂ方向の伸展は、後身頃のウエストラインに相当する部分から脇線を通って腕の前面にまわり込むように直上し三角筋付着部ＳＳに至るものである。しかしてＡ方向の伸展とＢ方向の伸展の方向の違いは衣服の運動機能を表現する際に重要な意義をもつ。
【０００８】
一方人体の皮ふには後腋部分の運動に適応するために拡がって出るマチ状の皮ふ１２７や、前腋部分の運動に適応するために拡がって出るマチ状の皮ふ１３８があり、これらマチ状の皮ふ１２７，１２８を考慮して衣服構造に表現すると、図８に示す後腋部配列空間ａ１、や図９に示す前腋部配列空間ｂ１が画成されることになる。上記配列空間ａ１，ｂ１を衣服の形紙にどのように表現するかが問題となる。
【０００９】
他方人体の腕運動において、衣服に対して引きつれを生ぜしめる運動は、腕の前方挙上のポーズである。
【００１０】
そこで腕の前方挙上運動のポーズを分析してみると、腕の前方から視た動きは、図１０に示すように、前腋部１２９を上方に上げ、このことは鎖骨１３０が、胸鎖関節１３１を支点して動き、図１１に示すように、外側端の肩峰点１３２を上方に約５０ｍｍ変移せしめる。また腕の上方から視た動きは、図１２に示すように、肩関節１３３および肘関節１３４を含む屈曲運動であり、これらの一連の屈曲運動は,全体として腕の前方への動きとなる。さらに腕の後方から視た動きは、図１３に示すように、後腋部を外側上方につり上げ、前方におおいかぶさる形態を呈する。このことは、図１３と図１４に示される。
【００１１】
これに対し、本願発明の発明者は、上記した点に鑑みて、衣服に関連した生体機能の研究に基づき衣服構造線に囲まれる人体の皮ふにある特性があることに着目し、腕の前方挙上時に前身頃の袖付け部分に引きつりが起りにくい衣服を提案した（特許文献１）。
【先行技術文献】
【特許文献】
【００１２】
【特許文献１】特開昭５９−２０４９０５号（１９８４−２０４９０５Ａ）公報
【発明の概要】
【発明が解決しようとする課題】
【００１３】
しかしながら、特許文献１に係る衣服には、それまでの衣類に比べて腕の前方挙上時に前身頃の袖付け部分に引きつりが起りにくいにしても、なおも改良の余地があることが判明した。
【００１４】
図６に特許文献１に係る衣服１００を示す。衣服１００は、前袖部１０１と、前袖部１０１が斜め上方に伸びるように前袖部１０１と一体的に裁断された前身頃１０２と、後袖部１０３と、後袖部１０３が斜め上方に伸びるように後袖部１０３と一体的に裁断された後身頃１０４と、前身頃１０２と後身頃１０４の側縁に縫着される側部１０５と、側部１０５の上端に連なり、前袖部１０１の下縁と後袖部１０３の下縁に逢着される下袖部１０６と、上袖部１０７と、上袖部１０７と一体的に裁断された肩部１０８とを備えている。
【００１５】
図６に示すように、従来の衣服１００においては、下袖部１０６は肩部１０８の長手方向に対して前方側に緩やかな弧状形状に形成されており、また、下袖部１０６の全体が単一のコンポーネントとして形成されていた。このために、従来の衣服１００は、図７に示すように次のような問題を有していた。
【００１６】
図７において、点Ｐ、Ｑは各々、前腋点、後腋点を示し、前腋点Ｐと後腋点Ｑを結ぶ線は腋点基準線Ｌであり、点Ｍは腋点基準線Ｌの中点である腋下中点Ｍである。線ＡＨはアームホールを示す線である。
【００１７】
衣服の袖においては、一般的に、袖の上げ下ろしをすると腋窩の相当位置の近辺に折れ癖としての腋窩折線が形成される。従来の衣服１００においては、腋点基準線Ｌの上方に腋点基準線Ｌとほぼ平行に腋窩折線Ｓが形成されていた。衣服１００の腋窩折線Ｓは腋点基準線Ｌの上方位置にこれにほぼ平行に形成されるために、衣服１００の着用者が袖を上方に挙げた後に下ろした場合に腋窩折線Ｓが腋窩に食い込み着用者に不快感を与えるという問題があった。
【００１８】
また、従来の衣服１００においては、下袖部１０６は、全体が単一のコンポーネントとして形成されており、また単純に肩部１０８の長手方向に対して前方側に緩やかな弧状形状に形成されているために、図７において曲線Ｗで示されるように引っ張り合って引き連れ、着用者に不快感を与えるという問題があった。
【００１９】
そこで、本件発明の目的は、上記従来技術の問題を解消し、衣服の着用者が袖を上方に挙げた後に下ろした場合に腋窩折線が腋窩に食い込むという不快感を与えられることなく、また袖に引き連れを生じさせない衣服を提供することである。
【課題を解決するための手段】
【００２０】
上記目的を達成するために、本件発明に係る衣類は、前袖部と、前記前袖部が斜め上方に伸びるように前記前袖部と連なる前身頃と、後袖部と、前記後袖部が斜め上方に伸びるように前記後袖部と連なる後身頃と、前記前身頃と前記後身頃の側縁に縫着される側部と、前記側部の上端に連なり、前記前袖部の下縁と前記後袖部の下縁に逢着される下袖部と、上袖部と、前記上袖部に連なる肩部と、を備え、前記下袖部は、前記側部の上端に連なり前記前袖部の下縁に逢着される下袖前部と、前記下袖前部とは別体として裁断され、前記側部の上端に連なり前記後袖部の下縁に逢着される下袖後部とを有し、前記下袖前部は、前記側部の長手方向に対し０度より大きく２０度以下の角度範囲の角度で前方側へ弧状に形成されており、
前記下袖後部は、前記側部の長手方向に対し２０度以上で４０度以下の角度範囲の角度で、前腋点と後腋点とを結ぶ線である腋点基準線の近傍で前方側へ屈曲して形成されており、前記下袖前部と前記下袖後部とが互いに縫着される前において、前記下袖前部と前記下袖後部とは互いに交差していることを特徴とする。
【００２１】
また、前記下袖前部と前記下袖後部とが互いに縫着される前において、前記下袖後部の上側半分の部位は、前記下袖前部よりも前方側に位置することを特徴とする。
【００２２】
また、前記前袖部、前記前身頃、前記後袖部、前記後身頃、前記前記下袖部、前記上袖部、及び前記肩部を互いに縫着して形成した衣服の袖を下方に垂らした場合に、形成される腋窩折線は、前記腋点基準線の中点である腋下中点を底点としＶ字状に拡開して形成されることを特徴とする。
【００２３】
また、前記側部は側部前部と側部後部とからなり、前記下袖前部と前記側部前部とは単一ピースの下袖側部前部として一体的に裁断され、前記下袖後部と前記側部後部とは単一ピースの下袖側部後部として一体的に裁断され、前記下袖側部前部と前記下袖側部後部とが互いに縫着されて前記下袖部と前記側部とが形成されることを特徴とする。
【００２４】
また、前記側部は単一ピースとして一体的に裁断され、前記下袖前部と前記下袖後部とが前記側部に縫着されて前記下袖部と前記側部とが形成されることを特徴とする。
【発明の効果】
【００２５】
本願発明の構成によれば、下袖部は、側部の上端に連なり前袖部の下縁に逢着される下袖前部と、下袖前部とは別体として裁断され、側部の上端に連なり後袖部の下縁に逢着される下袖後部とを有し、下袖前部は、側部の長手方向に対し０度より大きく２０度以下の角度範囲の角度で前方側へ弧状に形成されており、下袖後部は、側部の長手方向に対し２０度以上で４０度以下の角度範囲の角度で、前腋点と後腋点とを結ぶ線である腋点基準線の近傍で前方側へ屈曲して形成されており、下袖前部と下袖後部とが互いに縫着される前において、下袖前部と下袖後部とは互いに交差しているので、衣服の着用者が袖を上方に挙げた後に下ろした場合に腋窩折線が腋窩に食い込むという不快感を与えられることなく、また袖に引き連れを生じさせないようにすることができる。
【図面の簡単な説明】
【００２６】
【図１】本願発明に係る衣類において（ａ）は前袖部及び前身頃を示し、（ｂ）は下袖側部前部を示す図。
【図２】本願発明に係る衣類において（ａ）は後袖部及び後身頃を示し、（ｂ）は上袖部及び肩部を示す図。
【図３】本願発明に係る衣類において（ａ）は下袖部及び側部を示し、（ｂ）は下袖後部及び下袖側部後部を示す図。
【図４】下袖前部と下袖後部とからなる下袖部を従来の下袖部と比較して示す図。本願の下袖前部と下袖後部をＦ’、Ｂ’と表示している。
【図５】腕を前方上方に挙げることに伴う皮ふの偏位について説明する図であり、（ａ）は腕を下方に向けた前側姿勢を示し、（ｂ）は腕を下方に向けた後姿勢を示し、（ｃ）は腕を上方に向けた前側姿勢を示し、（ｄ）は腕を上方に挙げた側面姿勢を示す。
【図６】従来の衣服を示す図。
【図７】従来の下袖部が有する課題を説明する図。
【図８】衣服の後身頃に対応する人体の皮ふのしわの形成状態を示す図。
【図９】衣服の前身頃に対応する同様な図。
【図１０】腕の前方挙上運動を前面より視た状態を示す図。
【図１１】腕の前方挙上運動を前面より視た状態を示す図。
【図１２】腕の前方挙上運動を上面より視た状態を示す図。
【図１３】腕の前方挙上運動を後面より視た状態を示す図。
【図１４】腕の前方挙上運動を側面より視た状態を示す図。
【図１５】腕の前方挙上運動に伴い、肩の後部側の皮ふが斜め上方に伸展（矢印Ｃ）することと、肩の前部側の皮ふが上方へ直線状に偏位（矢印Ｄ）することを説明する腕の付け根を示す断面図。
【発明を実施するための最良の形態】
【００２７】
以下に図面を参照し、本件発明の実施形態に係る衣類について説明する。  
衣類１は、前袖部２と、前袖部２が斜め上方に伸びるように前袖部に連なる前身頃３と、後袖部４と、後袖部４が斜め上方に伸びるように後袖部４と連なる後身頃５と、前身頃３の側縁３ａと後身頃５の側縁５ａに縫着される側部６と、側部６の上端６ａに連なり、前袖部２の下縁２ａと後袖部４の下縁４ａに逢着される下袖部７と、上袖部８と、上袖部８に連なる肩部９とを備えている。前袖部２は前身頃３の側縁３ａに対して例えば１１５度の角度をなす。後袖部４は後身頃５の側縁５ａに対して例えば１１０度の角度をなす。
【００２８】
下袖部７は、側部６の上端６ａに連なり前袖部２の下縁２ａに逢着される下袖前部１０と、下袖前部１０とは別体として裁断され、側部６の上端６ａに連なり後袖部４の下縁に逢着される下袖後部１１とを有する。下袖前部１０と袖後部１１とは図３（ａ）に示されるように、重なり部を有するので一体的に裁断することはできない。
【００２９】
下袖前部１０は、側部６の長手方向６ｂに対し０度より大きく２０度以下の角度範囲の角度θ１で前方側へ弧状に形成されており、下袖後部１１は、側部６の長手方向６ｂに対し２０度以上で４０度以下の角度範囲の角度θ２で、前腋点Ｐと後腋点Ｑとを結ぶ線である腋点基準線Ｌの近傍で前方側へ屈曲して形成されている。ここで、下袖前部１０は、側部６の長手方向６ｂに対し０度より大きくあるというのは、側部６の長手方向６ｂに対し０度にかなり近い値であってもよいが０度ではなく、小さな角度をなしているという意味である。
【００３０】
下袖前部１０と下袖後部１１とが互いに縫着される前において、下袖前部１０と下袖後部９とは互いに交差している。
【００３１】
下袖前部１０と下袖後部９とは、より詳細には、下袖前部１０と下袖後部１１とが互いに縫着される前において、下袖後部１１の上側半分の部位は、下袖前部１０よりも前方側に位置する。下袖前部１０は、側部６の長手方向６ｂに対し緩く前方側へ弧状に形成されている。これに対して、下袖後部１１は、図３（ａ）に示されるように、側部６の長手方向６ｂに対し腋点基準線Ｌの近傍で前方側へ屈曲しさらに直線的に伸びている。なお、衣類１が長袖でなく半袖を有する場合には、下袖前部１０よりも前方側に位置する下袖後部１１の部位が無い場合もある。
【００３２】
なお、前身頃３と前袖部２とは、必ずしも一体的に裁断される必要はないが、前身頃３は通常、前袖部２が斜め上方に伸びるように前袖部２に連なるように一体的に裁断される。後身頃５と後袖部４とは、必ずしも一体的に裁断される必要はないが、後身頃５は通常、後袖部４が斜め上方に伸びるように後袖部４と一体的に裁断される。
【００３３】
側部６は側部前部１２と側部後部１３とから構成されている。下袖前部１０と側部前部１２とは単一ピースの下袖側部前部１４として一体的に裁断され、下袖後部１１と側部後部１３とは単一ピースの下袖側部後部１５として一体的に裁断され、下袖側部前部１４と下袖側部後部１５とが互いに縫着されて下袖部７と側部６とが形成される。
【００３４】
なお、側部６を単一ピースとして一体的に裁断することも可能である。図３（ａ）において、側部６の上端６ａより下方部が単一ピースとして一体的に裁断された側部６を示す。この場合、下袖前部１０と下袖後部１１とが一体的に裁断された側部６に縫着されて下袖部７と側部６とを形成するようにすればよい。
【００３５】
図４に、下袖前部１０と下袖後部１１とからなる本実施の形態に係る下袖部７を従来の下袖部１０６と比較して示す。
【００３６】
次に、図５を参照して、腕を前方上方に挙げることに伴うの偏位について説明する。図５の（ａ）は腕を下方に向けた前側姿勢を示し、（ｂ）は腕を下方に向けた後姿勢を示し、（ｃ）は腕を上方に向けた前側姿勢を示し、（ｄ）は腕を上方に向けた後姿勢を示す。ＡＨはアームホールを示し、符合Ｄは三角筋祖面部を示し、符合Ｂは腹側進展方向を示し、符合Ｒは肩峰点を示す。図５（ｃ）、（ｄ）に示されるように、腕を前方上方に挙げることに伴い腋窩面が前向きになりながら捻り上がり、前腋点Ｐは大きく偏位したＡＨ上に位置する。
【００３７】
図１５は、腕を肩峰点Ｒと前腋点Ｐと後腋点Ｑを通る面で切断した腕の付け根の断面を示す。腕を前方上方に挙げるときの皮ふの動きとしては、腕の運動の初動時には、まず肩の後部側の皮ふが矢印Ｃで示すように斜め上方に伸展（矢印Ｃ）する。次に、前腋点ＰがＡＨ上に沿って上昇するに従って、肩の前部側の皮ふが矢印Ｄで示すように上方へ直線状に直上方向に偏位する。
【００３８】
このように、腕を前方上方に挙げる運動の初動時に相当する第１段階には、肩の後部側の皮ふが矢印Ｃで示すように斜め上方へ伸展する動きが生じるのであり、また、この皮ふが矢印Ｃで示すように斜め上方へ伸展する動きは第１段階においてのみ支配的であるのである。腕を前方上方に挙げる運動における、第１段階の次ぐ第２段階においては、矢印Ｄで示すように肩の前部側の皮ふが直線状に直上方向に偏位し、腋底が前向きに捻りあがる。この第２段階は、腕を前方上方に挙げる運動のかなりの期間において支配的である。そして、最終的に第３段階として、腕の付け根の全体が前上方向へ移動する。
【００３９】
そして、本願発明においては、袖に生じ得る引き連れを防止するために、矢印Ｃで示す伸展という動きに対応して下袖後部１１の形状が設計されており、矢印Ｄで示す偏位という動きに対応して下袖前部１０の形状が設計されているのである。また、下袖前部１０が下袖後部１１に比べてより直線状の形状をしているのは、下袖前部１０が上記の第２段階の動きに主に関係しているのであり、下袖後部１１が下袖前部１０に比べてより屈曲した形状をしているのは、上記の第１段階の動きに主に対応していることに関係しているのである。
【００４０】
本願発明は、図５に示すように、腕を前方上方に挙げることに伴い腋窩面が前向きになりながら捻り上がるということに着目し、下袖部７を下袖前部１０と下袖後部１１とで構成することによって、腋窩折線が腋窩に食い込むことや袖に引き連れを生じるという前述した従来の問題を解決するものである。
【００４１】
本実施の形態においては、下袖前部１０が側部６の長手方向６ｂに対し０度より大きく２０度以下の角度範囲の角度θ１で前方側へ弧状に形成されており、下袖後部１１が側部６の長手方向６ｂに対し２０度以上で４０度以下の角度範囲の角度θ２で、腋点基準線Ｌの近傍で前方側へ屈曲して形成されていることによって、図３（ａ）に示されるように、腋窩折線Ｔは、腋点基準線Ｌの中点である腋下中点Ｍを底点としＶ字状に拡開して形成される。この結果、腋窩折線Ｔは腋下中点Ｍを底点としＶ字状に拡開しているために、前方上方に挙げた腕を下方に下ろした場合に、図７に示す腋窩折線Ｓの場合と異なり、腋窩に食い込み着用者に不快感を与えるという問題を解消することができる。
【００４２】
また、下袖前部１０と下袖後部１１とが上述の形状を有することによって、図７において曲線Ｗで示されるように引っ張り合って引き連れ、着用者に不快感を与えるという問題を解消することができる。
【符号の説明】
【００４３】
１  衣服
２  前袖部
３  前身頃
４  後袖部
５  後身頃
６  側部
７  下袖部
８  上袖部
９  肩部
１０  下袖前部
１１  下袖後部
１２  側部前部
１３  側部後部
１４  下袖側部前部
１５  下袖側部後部
【図１】
0005948375.tif 000002
【図２】
0005948375.tif 000003
【図３】
0005948375.tif 000004
【図４】
0005948375.tif 000005
【図５】
0005948375.tif 000006
【図６】
0005948375.tif 000007
【図７】
0005948375.tif 000008
【図８】
0005948375.tif 000009
【図９】
0005948375.tif 000010
【図１０】
0005948375.tif 000011
【図１１】
0005948375.tif 000012
【図１２】
0005948375.tif 000013
【図１３】
0005948375.tif 000014
【図１４】
0005948375.tif 000015
【図１５】
0005948375.tif 000016